(57)【要約】      （修正有）【課題】複数の通信ネットワーク間で行われるＳＩＰ通信についての制御処理の負荷軽減を図る。【解決手段】通信ネットワークの各々に対応して設けられるＮＡＴ機能及びＦＷ機能を有するＮＡＴ／ＦＷ装置に接続される複数の通信ネットワーク間で行われるＳＩＰ通信についての制御を行う通信制御装置１０であって、前記ＳＩＰ通信の発着の通信ネットワークの両方を対象としてＮＡＴ／ＦＷ制御を統合して一括で行うように構成する。【選択図】図１
2007300523.tif 000002
【特許請求の範囲】
【請求項１】
通信ネットワークの各々に対応して設けられるＮＡＴ機能及びＦＷ機能を有するＮＡＴ／ＦＷ装置に接続される複数の通信ネットワーク間で行われるＳＩＰ通信についての制御を行う通信制御装置であって、
前記ＳＩＰ通信の発着の通信ネットワークの両方を対象としてＮＡＴ／ＦＷ制御を統合して一括で行うように構成したことを特徴とする通信制御装置。
【請求項２】
前記ＳＩＰ通信におけるＳＩＰ電文を前記ＮＡＴ／ＦＷ装置との間で送受信する通信手段と、
所定のアドレス変換条件に基づき、前記ＳＩＰ電文内の発側ネットワークに属するアドレス及びポート番号と着側ネットワークに属するアドレス及びポート番号との両方を判定対象として、アドレス及びポート番号が変換対象のものであるか否かを判定する判定手段と、
前記ＳＩＰ電文内の変換対象のアドレス及びポート番号についてのアドレス変換後のアドレス及びポート番号を前記ＮＡＴ／ＦＷ装置に問い合わせする変換要求手段と、
前記ＮＡＴ／ＦＷ装置への問い合わせ結果に基づき、前記ＳＩＰ電文内の変換対象のアドレス及びポート番号の変換を行う変換手段と、
を有することを特徴とする請求項１に記載の通信制御装置。
【請求項３】
前記変換対象のアドレス及びポート番号についてのアドレス変換後のアドレス及びポート番号を記憶する記憶手段を備え、
前記変換手段は、前記記憶手段に記憶される情報を利用して前記変換を行うことを特徴とする請求項２に記載の通信制御装置。
【請求項４】
所定のネットワーク情報に基づき、前記ＳＩＰ通信におけるＳＩＰ電文の発信装置と着信装置とが同一のネットワークに属するか否かを判定する判定手段と、
前記ＳＩＰ電文の発信装置と着信装置とが同一のネットワークに属さない場合に、当該ＳＩＰ通信の発着の通信ネットワークの両方を対象として一括でＦＷ制御を行うＦＷ制御手段と、
を有することを特徴とする請求項１から３のいずれかの項に記載の通信制御装置。
【請求項５】
通信ネットワークの各々に対応して設けられるＮＡＴ機能及びＦＷ機能を有するＮＡＴ／ＦＷ装置と、前記ＮＡＴ／ＦＷ装置に接続される通信制御装置とを用いる通信制御方法であって、
前記ＮＡＴ／ＦＷ装置に接続される複数の通信ネットワーク間で行われるＳＩＰ通信の発着の通信ネットワークの両方を対象としてＮＡＴ／ＦＷ制御を統合して一括で行うことを特徴とする通信制御方法。
【請求項６】
前記ＮＡＴ／ＦＷ装置が、前記ＳＩＰ通信におけるＳＩＰ電文を受信し、該ＳＩＰ電文内のソース・アドレス及びポート番号並びにデスティネーション・アドレス及びポート番号を、前記複数の通信ネットワーク間の規定に従って変換する第１の過程と、
前記通信制御装置が、所定のアドレス変換条件に基づき、前記ＳＩＰ電文内の発側ネットワークに属するアドレス及びポート番号と着側ネットワークに属するアドレス及びポート番号との両方を判定対象として、アドレス及びポート番号が変換対象のものであるか否かを判定する第２の過程と、
前記通信制御装置が、前記ＳＩＰ電文内の変換対象のアドレス及びポート番号についてのアドレス変換後のアドレス及びポート番号を前記ＮＡＴ／ＦＷ装置に問い合わせする第３の過程と、
前記通信制御装置が、前記ＮＡＴ／ＦＷ装置への問い合わせ結果に基づき、前記ＳＩＰ電文内の変換対象のアドレス及びポート番号の変換を行う第４の過程と、
前記ＮＡＴ／ＦＷ装置が、前記第１及び第４の過程による変換後のＳＩＰ電文を送信する第５の過程と、
を含むことを特徴とする請求項５に記載の通信制御方法。
【請求項７】
前記通信制御装置が、前記変換対象のアドレス及びポート番号についてのアドレス変換後のアドレス及びポート番号を記憶する第６の過程と、
前記通信制御装置が、前記第６の過程で記憶された情報を利用して前記ＳＩＰ電文内の変換対象のアドレス及びポート番号の変換を行う第７の過程と、
を含むことを特徴とする請求項６に記載の通信制御方法。
【請求項８】
前記通信制御装置が、所定のネットワーク情報に基づき、前記ＳＩＰ通信におけるＳＩＰ電文の発信装置と着信装置とが同一のネットワークに属するか否かを判定する第８の過程と、
前記通信制御装置が、前記ＳＩＰ電文の発信装置と着信装置とが同一のネットワークに属さない場合に、当該ＳＩＰ通信の発着の通信ネットワークの両方を対象として一括でＦＷ制御を行う第９の過程と、
前記ＮＡＴ／ＦＷ装置が、該ＦＷ制御に従ってＦＷ処理を実行する第１０の過程と、
を含むことを特徴とする請求項５から７のいずれかの項に記載の通信制御方法。
【発明の詳細な説明】
【技術分野】
【０００１】
本発明は、通信制御装置及び通信制御方法に関する。
【背景技術】
【０００２】
従来、ＩＰ（Internet Protocol）ネットワークで利用される通信アプリケーション（例えばＶＯＩＰ（Voice over IP）による音声通信（通称「インターネット電話」））用のシグナリング・プロトコルの一つとして、ＳＩＰ（Session Initiation Protocol；セッション・イニシエーション・プロトコル）が知られている。ＳＩＰ通信制御装置は、ＳＩＰを用いたシグナリング用の通信（以下、ＳＩＰ通信と称する）を制御する装置であり、異なる通信ネットワーク間でＳＩＰ通信が行われるときには、ＮＡＴ（Network Address Translation；ネットワーク・アドレス・トランスレイション）機能及びＦＷ（Fire Wall；ファイヤ・ウォール）機能を有するＮＡＴ／ＦＷ装置と連携して、ＳＩＰ通信の電文（ＳＩＰ電文）内のアドレスの変換や、ＦＷ機能を用いたメディア間の送受信を行うためのピンホール登録を行う。従来のＮＡＴ／ＦＷ装置は、通信ネットワーク毎に論理上の異なるＮＡＴ／ＦＷ機能を有し、一通信ネットワークと一ＮＡＴ／ＦＷ機能とを対応付けて、アドレス変換及びピンホール登録を行っている。そのため、従来のＳＩＰ通信制御装置は、通信ネットワーク毎の論理上のＮＡＴ／ＦＷ機能の各々に対して、個別に、ＮＡＴ／ＦＷ制御処理を行っている。
【特許文献１】特開２００４−２５４０１０号公報
【発明の開示】
【発明が解決しようとする課題】
【０００３】
しかし、上述した従来技術では、通信ネットワーク毎の論理上のＮＡＴ／ＦＷ機能の各々に対して個別にＮＡＴ／ＦＷ制御処理を行う必要がある。つまり、異なる通信ネットワーク間で行われる一ＳＩＰ通信に対して、各通信ネットワーク毎のＮＡＴ／ＦＷ機能に、ＮＡＴ／ＦＷ制御処理を行わなければならない。
【０００４】
本発明は、このような事情を考慮してなされたもので、その目的は、複数の通信ネットワーク間で行われるＳＩＰ通信についての制御処理の負荷軽減を図ることのできる通信制御装置及び通信制御方法を提供することにある。
【課題を解決するための手段】
【０００５】
上記の課題を解決するために、本発明に係る通信制御装置は、通信ネットワークの各々に対応して設けられるＮＡＴ機能及びＦＷ機能を有するＮＡＴ／ＦＷ装置に接続される複数の通信ネットワーク間で行われるＳＩＰ通信についての制御を行う通信制御装置であって、前記ＳＩＰ通信の発着の通信ネットワークの両方を対象としてＮＡＴ／ＦＷ制御を統合して一括で行うように構成したことを特徴とする。
【０００６】
本発明に係る通信制御装置においては、前記ＳＩＰ通信におけるＳＩＰ電文を前記ＮＡＴ／ＦＷ装置との間で送受信する通信手段と、所定のアドレス変換条件に基づき、前記ＳＩＰ電文内の発側ネットワークに属するアドレス及びポート番号と着側ネットワークに属するアドレス及びポート番号との両方を判定対象として、アドレス及びポート番号が変換対象のものであるか否かを判定する判定手段と、前記ＳＩＰ電文内の変換対象のアドレス及びポート番号についてのアドレス変換後のアドレス及びポート番号を前記ＮＡＴ／ＦＷ装置に問い合わせする変換要求手段と、前記ＮＡＴ／ＦＷ装置への問い合わせ結果に基づき、前記ＳＩＰ電文内の変換対象のアドレス及びポート番号の変換を行う変換手段と、を有することを特徴とする。
【０００７】
本発明に係る通信制御装置においては、前記変換対象のアドレス及びポート番号についてのアドレス変換後のアドレス及びポート番号を記憶する記憶手段を備え、前記変換手段は、前記記憶手段に記憶される情報を利用して前記変換を行うことを特徴とする。
【０００８】
本発明に係る通信制御装置においては、所定のネットワーク情報に基づき、前記ＳＩＰ通信におけるＳＩＰ電文の発信装置と着信装置とが同一のネットワークに属するか否かを判定する判定手段と、前記ＳＩＰ電文の発信装置と着信装置とが同一のネットワークに属さない場合に、当該ＳＩＰ通信の発着の通信ネットワークの両方を対象として一括でＦＷ制御を行うＦＷ制御手段と、を有することを特徴とする。
【０００９】
本発明に係る通信制御方法は、通信ネットワークの各々に対応して設けられるＮＡＴ機能及びＦＷ機能を有するＮＡＴ／ＦＷ装置と、前記ＮＡＴ／ＦＷ装置に接続される通信制御装置とを用いる通信制御方法であって、前記ＮＡＴ／ＦＷ装置に接続される複数の通信ネットワーク間で行われるＳＩＰ通信の発着の通信ネットワークの両方を対象としてＮＡＴ／ＦＷ制御を統合して一括で行うことを特徴とする。
【００１０】
本発明に係る通信制御方法においては、前記ＮＡＴ／ＦＷ装置が、前記ＳＩＰ通信におけるＳＩＰ電文を受信し、該ＳＩＰ電文内のソース・アドレス及びポート番号並びにデスティネーション・アドレス及びポート番号を、前記複数の通信ネットワーク間の規定に従って変換する第１の過程と、前記通信制御装置が、所定のアドレス変換条件に基づき、前記ＳＩＰ電文内の発側ネットワークに属するアドレス及びポート番号と着側ネットワークに属するアドレス及びポート番号との両方を判定対象として、アドレス及びポート番号が変換対象のものであるか否かを判定する第２の過程と、前記通信制御装置が、前記ＳＩＰ電文内の変換対象のアドレス及びポート番号についてのアドレス変換後のアドレス及びポート番号を前記ＮＡＴ／ＦＷ装置に問い合わせする第３の過程と、前記通信制御装置が、前記ＮＡＴ／ＦＷ装置への問い合わせ結果に基づき、前記ＳＩＰ電文内の変換対象のアドレス及びポート番号の変換を行う第４の過程と、前記ＮＡＴ／ＦＷ装置が、前記第１及び第４の過程による変換後のＳＩＰ電文を送信する第５の過程と、を含むことを特徴とする。
【００１１】
本発明に係る通信制御方法においては、前記通信制御装置が、前記変換対象のアドレス及びポート番号についてのアドレス変換後のアドレス及びポート番号を記憶する第６の過程と、前記通信制御装置が、前記第６の過程で記憶された情報を利用して前記ＳＩＰ電文内の変換対象のアドレス及びポート番号の変換を行う第７の過程と、を含むことを特徴とする。
【００１２】
本発明に係る通信制御方法においては、前記通信制御装置が、所定のネットワーク情報に基づき、前記ＳＩＰ通信におけるＳＩＰ電文の発信装置と着信装置とが同一のネットワークに属するか否かを判定する第８の過程と、前記通信制御装置が、前記ＳＩＰ電文の発信装置と着信装置とが同一のネットワークに属さない場合に、当該ＳＩＰ通信の発着の通信ネットワークの両方を対象として一括でＦＷ制御を行う第９の過程と、前記ＮＡＴ／ＦＷ装置が、該ＦＷ制御に従ってＦＷ処理を実行する第１０の過程と、を含むことを特徴とする。
【発明の効果】
【００１３】
本発明によれば、複数の通信ネットワーク間で行われるＳＩＰ通信についての制御処理の負荷軽減を図ることができる。
【発明を実施するための最良の形態】
【００１４】
以下、図面を参照し、本発明の一実施形態について説明する。
図１は、本発明の一実施形態に係る通信ネットワークシステムの全体構成を示すブロック図である。図１において、ＳＩＰ通信制御装置１０は通信回線を介してＮＡＴ／ＦＷ装置２０と接続される。ＮＡＴ／ＦＷ装置２０は、異なる通信ネットワークシステム（ネットワーク（Ａ）３０、ネットワーク（Ｂ）４０）とそれぞれ通信回線を介して接続される。
【００１５】
ネットワーク（Ａ）３０及びネットワーク（Ｂ）４０はプライベートＩＰネットワークである。ネットワーク（Ａ）３０には、ＳＩＰ通信端末（ＳＩＰ端末）３０１が具備されている。ＳＩＰ端末３０１には、ネットワーク（Ａ）３０内においてのあるプライベートＩＰアドレス（アドレスＡ）が割り当てられている。ネットワーク（Ｂ）４０には、ＳＩＰ通信サーバ（ＳＩＰサーバ）４０１が具備されている。ＳＩＰサーバ４０１には、ネットワーク（Ｂ）４０内においてのあるプライベートＩＰアドレス（アドレスＢ）が割り当てられている。また、ネットワーク（Ａ）３０とネットワーク（Ｂ）４０間の各プライベートＩＰアドレスの対応関係は、図１中に、アドレスの対応関係５１として示されている。つまり、ネットワーク（Ａ）３０内のアドレスＡはネットワーク（Ｂ）４０内ではアドレスＡ’に対応し、また、ネットワーク（Ｂ）４０内のアドレスＢはネットワーク（Ａ）３０内ではアドレスＢ’に対応している。
【００１６】
ＳＩＰ通信制御装置１０は、ＮＡＴ制御機能部１０１とＦＷ制御機能部１０２とデータベース（ＤＢ）１０３を有する。ＮＡＴ制御機能部１０１はＮＡＴ機能の制御を行う。ＦＷ制御機能部１０２はＦＷ機能の制御を行う。ＤＢ１０３は、アドレスやポート番号等の情報を記憶する。ＮＡＴ制御機能部１０１及びＦＷ制御機能部１０２は、ＤＢ１０３に記憶されている情報を使用する。
【００１７】
ＮＡＴ／ＦＷ装置２０は、ＮＡＴ機能部２０１とＦＷ機能部２０２を有する。ＮＡＴ機能部２０１は、ネットワーク（Ａ）３０及びネットワーク（Ｂ）４０の各々に対応して設けられるＮＡＴ機能部（ネットワークＡ用ＮＡＴ機能部、ネットワークＢ用ＮＡＴ機能部）を有する。ＮＡＴ機能部２０１は、ネットワーク（Ａ）３０とネットワーク（Ｂ）４０との間でＳＩＰ電文を送受信する。そのＳＩＰ電文は、ＳＩＰ通信制御装置１０によりアドレス変換が施される。ＦＷ機能部２０２は、ネットワーク（Ａ）３０及びネットワーク（Ｂ）４０の各々に対応して設けられるＦＷ機能部（ネットワークＡ用ＦＷ機能部、ネットワークＢ用ＦＷ機能部）を有する。ＦＷ機能部２０２は、ＳＩＰ通信制御装置１０からの制御に従って、ＦＷ機能を実行し、ネットワーク（Ａ）３０とネットワーク（Ｂ）４０間のＲＴＰ（Real-time Transport Protocol；リアルタイム・トランスポート・プロトコル）による通信の可否を制御する。
【００１８】
図１には、ＳＩＰ端末３０１とＳＩＰサーバ４０１間で送受信されるＳＩＰ電文及び制御信号の流れ５０が示されている。ネットワーク（Ａ）３０内のＳＩＰ端末３０１から送信されたＳＩＰ電文は、先ずＮＡＴ／ＦＷ装置２０に送られ、次いでＮＡＴ／ＦＷ装置２０のＮＡＴ機能部２０１を介してＳＩＰ通信制御装置１０に送られ、次いでＳＩＰ通信制御装置１０のＮＡＴ制御機能部１０１を介してまたＮＡＴ／ＦＷ装置２０に送られ、次いでＮＡＴ／ＦＷ装置２０のＮＡＴ機能部２０１を介してネットワーク（Ｂ）４０内のＳＩＰサーバ４０１に送られる。ネットワーク（Ｂ）４０内のＳＩＰサーバ４０１から送信されたＳＩＰ電文についても同様の経路でネットワーク（Ａ）３０内のＳＩＰ端末３０１に送られる。
【００１９】
本実施形態では、上述したＮＡＴ／ＦＷ装置２０に備わる「通信ネットワーク毎の論理上のＮＡＴ／ＦＷ機能（ネットワークＡ用ＮＡＴ機能部、ネットワークＢ用ＮＡＴ機能部、ネットワークＡ用ＦＷ機能部、ネットワークＢ用ＦＷ機能部）」に対する制御を統合して一括で制御可能とすることを特徴としている。以下、その特徴的な通信制御処理について詳細に説明する。
【００２０】
次に、図２を参照して、本実施形態に係る通信制御動作を説明する。
図２は、図１に示すＳＩＰ通信制御装置１０の処理手順を示すフローチャートである。図２において、先ずステップＦ１０１では、ＳＩＰ通信制御装置１０はＮＡＴ／ＦＷ装置２０からＳＩＰ電文（「ＩＮＶＩＴＥ」等）を受信する。そのＳＩＰ電文は、ＮＡＴ／ＦＷ装置２０によって、電文内の、ソース・アドレス（Source Address）及びポート番号並びにデスティネーション・アドレス（Destination Address）及びポート番号が、図１に示されるようなアドレスの対応関係５１に従って変換されている。
【００２１】
次いで、ステップＦ１０２では、ＳＩＰ通信制御装置１０のＮＡＴ制御機能部１０１は、ＤＢ１０３内のアドレス変換条件情報に基づき、受信ＳＩＰ電文内のアドレス及びポート番号が変換対象のものであるか否かを判定する。その判定対象は、発側ネットワークに属するアドレス及びポート番号と、着側ネットワークに属するアドレス及びポート番号との両方である。また、ＳＩＰ電文中のアドレス変換対象となる範囲は、適用サービスによって異なるが、例えば、ＳＩＰヘッダ部分のｖｉａヘッダやｃｏｎｔａｃｔアドレス、ＳＩＰボディ部分のｏラインやｃライン、ＳＤＰ（Session Description Protocol；セッション・デスクリプション・プロトコル）の変換対象部分などである。ステップＦ１０２の判定の結果、変換対象のアドレス及びポート番号がある場合はステップＦ１０３に進み、変換対象のアドレス及びポート番号がない場合はステップＦ１０６に進む。
【００２２】
次いで、ステップＦ１０３では、ＮＡＴ制御機能部１０１は、ＮＡＴ／ＦＷ装置２０に対して、変換対象のアドレス及びポート番号についてのアドレス変換を要求し、エントリの登録を実施する。つまり、ＮＡＴ／ＦＷ装置２０に対して、変換対象のアドレス及びポート番号をどのアドレス及びポート番号に変換すればよいのかを問い合わせる。ＮＡＴ／ＦＷ装置２０は、そのアドレス変換要求に応じて、ＮＡＴ機能部２０１により変換対象のアドレス及びポート番号についてのアドレス変換後のアドレス及びポート番号を算出し、算出したアドレス及びポート番号をＳＩＰ通信制御装置１０に応答する。
【００２３】
次いで、ステップＦ１０４では、ＳＩＰ通信制御装置１０のＮＡＴ制御機能部１０１は、ＮＡＴ／ＦＷ装置２０からの応答のアドレス及びポート番号で、受信ＳＩＰ電文内の変換対象のアドレス及びポート番号の変換を行う。なお、アドレス変換を実施するＳＩＰ通信制御装置１０とＮＡＴ／ＦＷ装置２０は、ＳＩＰ通信が行われる異なるネットワークの組み合わせにかかわらず、同じ装置の組み合わせでよい。
【００２４】
次いで、ステップＦ１０５では、ＳＩＰ通信制御装置１０は、アドレス変換後のＳＩＰ電文をＮＡＴ／ＦＷ装置２０に送信する。上述したステップＦ１０２〜Ｆ１０５のＮＡＴ制御処理では、ＳＩＰ通信の発着の通信ネットワークの両方を対象としてＮＡＴ制御を一括で行っている。これにより、ＮＡＴ制御処理の負荷が軽減される。
【００２５】
次いで、ステップＦ１０６では、ＳＩＰ通信制御装置１０のＦＷ制御機能部１０２は、ＤＢ１０３内のネットワーク情報に基づき、ステップＦ１０５での送信ＳＩＰ電文の発信装置と着信装置とが同一のネットワークに属するか否かを判定する。ステップＦ１０６の判定の結果、同一のネットワークに属する場合はピンホール登録が不要であり（ステップＦ１０６、ＮＯ）ステップＦ１０８に進み、同一のネットワークに属さない場合はピンホール登録が必要であり（ステップＦ１０６、ＹＥＳ）ステップＦ１０７に進む。
【００２６】
次いで、ステップＦ１０７では、ＦＷ制御機能部１０２は、ＮＡＴ／ＦＷ装置２０に対して、当該ＳＩＰ通信の発着の通信ネットワークの両方を対象として一括でピンホール登録を行う。これにより、ステップＦ１０５での送信ＳＩＰ電文の発信側と着信側との間で、ＲＴＰプロトコルによる通信が可能な状態になる。なお、ＳＩＰ通信制御装置１０の指示により登録されるピンホールの登録先は、ＳＩＰ通信が行われる異なるネットワークの組み合わせにかかわらず、同一のＮＡＴ／ＦＷ装置２０でよい。上述したステップＦ１０６、Ｆ１０７のＦＷ制御処理では、ＳＩＰ通信の発着の通信ネットワークの両方を対象としてＦＷ制御を一括で行っている。これにより、ＦＷ制御処理の負荷が軽減される。
【００２７】
次いで、ステップＦ１０８では、ＳＩＰ通信制御装置１０は、ＢＹＥ等のＳＩＰ電文の受信によりＳＩＰ通信の終了を認識すると、当該ＳＩＰ通信についてのエントリ及びピンホールの登録の削除をＮＡＴ／ＦＷ装置２０に要求する。ＮＡＴ／ＦＷ装置２０は、その要求に応じて該当するエントリとピンホールの登録の削除を行う。ここでのＮＡＴ／ＦＷ制御処理においても、ＳＩＰ通信の発着の通信ネットワークの両方を対象としてＮＡＴ／ＦＷ制御を一括で行っている。これにより、ＮＡＴ／ＦＷ制御処理の負荷が軽減される。
【００２８】
なお、ＳＩＰ通信制御装置１０のＤＢ１０３内に、変換対象のアドレス及びポート番号についてのアドレス変換後のアドレス及びポート番号を記憶するように構成し、ＳＩＰ通信制御装置１０は、ＤＢ１０３内に、変換対象のアドレス及びポート番号についてのアドレス変換後のアドレス及びポート番号が記憶されている場合には、該ＤＢ１０３内の情報を利用してアドレス変換を行うようにしてもよい。これにより、ＮＡＴ／ＦＷ装置２０への問い合わせ（アドレス変換要求）を省略することができる。
【００２９】
上述したように本実施形態によれば、通信ネットワーク毎に個別に行われていたＮＡＴ／ＦＷ制御を統合して一括で行うように構成したので、複数の通信ネットワーク間で行われるＳＩＰ通信についての制御処理の負荷を軽減することができる。この結果としてＳＩＰ電文処理性能の向上を図ることが可能になる。
【００３０】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００３１】
【図１】本発明の一実施形態に係る通信ネットワークシステムの全体構成を示すブロック図である。
【図２】図１に示すＳＩＰ通信制御装置１０の処理手順を示すフローチャートである。
【符号の説明】
【００３２】
１０…ＳＩＰ通信制御装置、２０…ＮＡＴ／ＦＷ装置、１０１…ＮＡＴ制御機能部、１０２…ＦＷ制御機能部、１０３…データベース（ＤＢ）、２０１…ＮＡＴ機能部、２０２…ＦＷ機能部
【図１】
2007300523.tif 000003
【図２】
2007300523.tif 000004